(57)【要約】      （修正有）【課題】テープ巻付け作業においてテープの逆粘着を防ぐことのできる卓上型巻付用テープカッター台を提供する。【解決手段】卓上型巻付用テープカッター台は、基本体１１を備える。基本体１１は連接板１２を備え、テープを取り付けるための回転軸を枢着する。巻付け平台２０を連接板１２の自由端に連接させ、カッター部３０を巻付け平台２０に連接させ、カッター部３０の自由端にカッター部材３３１及び固定部材３３２を備える。これにより、卓上型巻付用テープカッター台は巻付け作業においてカッター部材３３１でテープを切断し、それと同時にテープを固定部材３３２に固定することができる。【選択図】図１
0003209496.tif 000002
【実用新案登録請求の範囲】
【請求項１】
テープ配置部、巻付け平台、カッター部を備える卓上型巻付用テープカッター台であって、
前記テープ配置部は基本体を備え、前記基本体の第一側に連接板を備え、前記基本体にはテープを取り付けるための回転軸が枢着され、
前記巻付け平台は、その両端それぞれに第一連接部及び第二連接部が形成され、前記第一連接部は前記連接板の自由端に連接され、
前記カッター部は、前記第二連接部に連接され、前記カッター部の前記自由端はカッター部材及び固定部材を備え、
前記卓上型巻付用テープカッター台は、巻付け作業においてカッター部材でテープを切断し、それと同時にテープを固定部材に固定させることを特徴とする卓上型巻付用テープカッター台。
【請求項２】
前記連接板は前記基本体方向に傾斜しており、前記連接板と前記基本体間には一定角度が設けられ、前記角度は９０度未満とし、前記基本体は第二側に位置固定部材を備え、前記位置固定部材は位置固定板を有し、前記基本体は前記連接板と前記位置固定部材との間に間隔をあけた二つの側板を備え、前記位置固定部材と前記側板との間にテープ台が取り付けられ、前記テープ台に回転軸が枢着され、前記回転軸にテープが取り付けられ、前記位置固定部材及び側板のそれぞれが締着部材を備えることを特徴とする請求項１記載の卓上型巻付用テープカッター台。
【請求項３】
前記基本体は間隔のあいた二つの前記側板を備え、前記側板はそれぞれに位置限定溝を備え、前記位置限定溝にテープを取り付けるための回転軸が枢着されることを特徴とする請求項１記載の卓上型巻付用テープカッター台。
【請求項４】
前記カッター部は底板を有し、前記底板の両側にはそれぞれ第一縦板と第二縦板とを縦方向に備え、前記第一縦板は第二連接部に連接され、前記底板、前記第一縦板、及び前記第二縦板間に空間が形成され、前記第二縦板の自由端はカッター部材、固定部材、及び制御板を備え、前記第二縦板の外側面は前記カッター部材を備え、前記第二縦板の内側面は前記固定部材及び前記制御板を備え、螺着固定部材によって前記カッター部材、前記固定部材、及び前記制御板は前記第二縦板に固着され、前記カッター部材はカットするための刃であり、前記固定部材はテープに対して挿入されてテープを固定する刃であり、前記カッター部材と前記固定部材はいずれも鋸刃であり、前記カッター部材の歯の高さに対する幅の比率は前記固定部材の歯の高さに対する幅の比率未満であることを特徴とする請求項１記載の卓上型巻付用テープカッター台。
【請求項５】
前記テープ配置部、前記巻付け平台、及び前記カッター部は単独成型され、前記巻付け平台の両側はそれぞれ螺着板を備え、前記螺着板は前記連接板及び前記第一縦板にそれぞれ取り付けられることを特徴とする請求項４記載の卓上型巻付用テープカッター台。
【考案の詳細な説明】
【技術分野】
【０００１】
本考案は、卓上型テープカッター台に関する。
【背景技術】
【０００２】
従来の卓上型巻付用テープカッター台はテープ台を含み、テープ台の両側それぞれに軸と刃を配置し、使用時には軸にテープを取り付け、テープ粘着面を上に向けて引き出し、テープ台の上にフラット状態にし、片手でテープを巻きつける物を持ちテープ台に置き、テープ巻付け作業を行う。最後に対象物とテープを刃のところまで引っ張り、下方に圧してテープをカットし、巻付け作業を完了させる。その後、使用者は別の対象物を手に持ち、続けて巻付け作業を行う。
【考案の概要】
【考案が解決しようとする課題】
【０００３】
テープ粘着面を上向きに配置するため、テープの自由端を刃に一時的に粘着できず、テープが移動してしまう。そのため、使用者は片手でテープを抑え、もう片方で対象物を持って作業を行うことになるので、操作が不便であり、指にテープ粘着面がくっついたりテープが逆粘着してしまう等の問題も発生し、巻付け作業の効率低下を招いている。また、卓上型巻付用テープカッター台は固定の形状及びサイズである故、対象物の形状及びサイズに合わせることができないという問題もある。そこで、本考案者は上記の問題を観察後、従来の卓上型巻付用テープカッター台には更なる改良の必要性があると考え、本考案を誕生させた。
【０００４】
本考案の主な目的は、巻付け作業においてテープを固定して逆粘着を防ぐことのできる卓上型巻付用テープカッター台の提供にある。
【課題を解決するための手段】
【０００５】
上述の目的を実現するため、本考案の提供する卓上型巻付用テープカッター台は、テープ配置部を備える。テープ配置部は、基本体を有し、基本体の第一側に連接板を備え、基本体には回転軸を枢着し、その回転軸にテープを取り付ける。巻付け平台の両端それぞれに第一連接部及び第二連接部を形成し、第一連接部を連接板の自由端に連接させる。カッター部は第二連接部に連結させ、カッター部の自由端にカッター部材及び固定部材を備える。
【０００６】
本考案の提供する卓上型巻付用テープカッター台は、テープ配置部からテープを引き出し、巻付け平台で対象物を巻きつけ、カッター部材でテープを切断し、テープを固定部材に固定する。これにより、従来のテープカッターにあるようなテープの逆粘着問題を防ぎ、卓上型巻付用テープカッター台による梱包作業の効率を向上させることができる。
【図面の簡単な説明】
【０００７】
【図１】本考案第一実施形態による斜視図である。
【図２】本考案第一実施形態による分解斜視図である。
【図３】本考案第一実施形態による側面図である。
【図４ａ】本考案第一実施形態によるカッター部材の正面図である。
【図４ｂ】本考案第一実施形態による固定部材の正面図である。
【図５】本考案第一実施形態による使用状態を示した第一図である。
【図６】本考案第一実施形態による使用状態を示した第二図である。
【図７】本考案第二実施形態による斜視図である。
【図８】本考案第三実施形態による斜視図である。
【図９】本考案第四実施形態による分解斜視図である。
【図１０】本考案第五実施形態による分解斜視図である。
【図１１】本考案第六実施形態による斜視図である。
【図１２】本考案第七実施形態による使用状態を示した図である。
【考案を実施するための形態】
【０００８】
図１〜図３に本考案の第一実施形態による斜視図、分解斜視図、及び側面図を示す。卓上型巻付用テープカッター台１００は、主に次の構成要素を含む。
【０００９】
テープ配置部１０は基本体１１を含み、基本体１１の第一側には連接板１２を有する。連接板１２は基本体１１方向に傾斜しており、連接板１２と基本体１１間には一定角度ａを設け、角度ａは９０度未満とする。基本体１１の第二側には位置固定部材１３を備え、位置固定部材１３は位置固定板１３１を有する。基本体１１は連接板１２と位置固定部材１３間に位置し、間隔をあけた二つの側板１４を有する。本考案の第一実施形態において、連接板１２、位置固定部材１３、及び側板１４間の基本体１１にはテープ台１５を取り付け、テープ台１５には回転軸１５１を備え、回転軸１５１にはテープ１５２を取り付ける。位置固定部材１３及び側板１４には締着部材１６を備える。締着部材１６はネジ或いは頭付ボルトとしてもよく、締着部材１６を用いてテープ台１５に密着させる。また、基本体１１底面に第一滑り止め１７を備える。
【００１０】
巻付け平台２０は横向きに設置される板体であり、巻付け平台２０の両端にそれぞれ第一連接部２１及び第二連接部２２を有する。第一連接部２１は連接板１２の自由端に連接する。
【００１１】
カッター部３０はＵ字形の板体であり、カッター部３０は底板３１を有する。底板３１の両側にはそれぞれ、第一縦板３２と第二縦板３３を縦方向に備え、第一縦板３２は第二連接部２２に連接させる。底板３１、第一縦板３２、及び第二縦板３３間に空間３４を形成し、第二縦板３３の自由端にカッター部材３３１、固定部材３３２、及び制御板３３３を備える。カッター部材３３１は第二縦板３３の外側面に備え、固定部材３３２及び制御板３３３は第二縦板３３の内側面に備え、螺着固定部材３３４によってカッター部材３３１、固定部材３３２、及び制御板３３３を第二縦板３３に固着する。図４（ａ）と図４（ｂ）とに示すとおり、カッター部材３３１はカットするための刃であり、固定部材３３２は挿入固定する刃である。カッター部材３３１と固定部材３３２はいずれも鋸刃であるため、カッター部材３３１の歯の高さに対する幅の比率は固定部材３３２の歯の高さに対する幅の比率より小さいものとし、カッター部材３３１の歯の高さは固定部材３３２の歯の高さ未満とする。底板３１の底面にはさらに第二滑り止め３５を備える。
【００１２】
本考案の第一実施形態によるテープ配置部１０、巻付け平台２０、及びカッター部３０は一体成型である。
【００１３】
図５に示すとおり、使用者が卓上型テープカッター台１００を使用する際は、まずテープ台１５を基本体１１に取り付け、締着部材１６を用い連接板１２を組み合わせることで、テープ台１５を圧してテープ配置部１０に固定させる。さらにテープ１５２を回転軸１５１に取り付け、テープの粘着面を上に向けて引っ張り出し、巻付け平台２０に置く。続いて対象物２００を準備する。対象物２００は野菜、果物、花卉等であり、対象物２００をカッター部３０に近い巻付け平台２０に置き、もう一方側に向かうように巻付け作業を行ない、最後に対象物２００をテープと一緒にカッター部３０まで引き出し、カッター部材３３１でテープをカットし、並びに、テープを固定部材３３２に固定する。以上は図６に示すとおりである。テープを固定部材３３２に固定した状態は図１２に示すとおりであるが、この時使用者は、空間３４からテープを引き出し、次の巻付け作業を行なうことができる。
【００１４】
特に言及しておきたい点であるが、基本体１１は連接板１２、位置固定部材１３、及び側板１４に締着部材１６を組み合わせてテープ台１５を圧する故、使用者は適当なサイズのテープ台を選択できる。また、卓上型巻付用テープカッター台１００はさらに第一滑り止め１７及び第二滑り止め３５を備え、これにより作業時の安定性を高めることができる。
【００１５】
図７に本考案の第二実施形態による斜視図を示す。本考案の第二実施形態と前述の第一実施形態との相違点は、側板１４のそれぞれに位置限定溝１４１を備えることにある。位置限定溝１４１には回転軸１４２を枢着し、テープ巻付け作業を行うことができる。
【００１６】
図８に本考案の第三実施形態による斜視図を示す。本考案の第三実施形態と前述の第一実施形態との相違点は、巻付け平台２０の上面にクッション２３を備えることにある。これにより巻付け作業の包み込み性を高め、対象物を衝撃から守る。
【００１７】
図９に本考案の第四実施形態による分解斜視図を示す。本考案の第四実施形態と前述の第一実施形態との相違点は、巻付け平台２０の上面に拡張テープ台２４を備えることにある。拡張テープ台２４の上面面積は巻付け平台２０の上面面積より大きく、拡張テープ台２４の一方側に固定板２４１を備え、固定板２４１は第一縦板３２に備え、大型対象物を置いてテープ巻付け作業を行なうための利便を図る。
【００１８】
図１０に本考案の第五実施形態による分解斜視図を示す。本考案の第五実施形態と前述の第四実施形態との相違点は、テープ配置部１０、巻付け平台２０、及びカッター部３０が単独成型されることにある。巻付け平台２０の両側それぞれに螺着板２７を備え、螺着板２７はそれぞれ連接板１２及び第一縦板３２に取り付けられる。これにより使用者は、テープ配置部１０、巻付け平台２０、カッター部３０を作業に合わせて選択し、卓上型巻付用テープカッター台１００を構成することができる。
【００１９】
図１１に本考案の第六実施形態による斜視図を示す。本考案の第六実施形態と前述の第一実施形態との相違点は、位置固定部材１３がストッパー板１３２を有することにある。ストッパー板１３２の両側それぞれに延伸板１３３を備え、延伸板１３３それぞれを弾性部材１３４に連結させる。弾性部材１３４はバネであり、弾性部材１３４の固定端それぞれを側板１４に取り付ける。これにより、弾性部材１３４の弾力が提供されるストッパー板１３２と連接板１２によりテープ台１５を固定する。
【００２０】
図１２は本考案の第七実施形態による使用状態を示す図である。本考案の第七実施形態と前述の第一実施形態との相違点は、巻付け平台２０上面の第一連接部２１に近い箇所に第一仮粘着部材２５を備え、巻付け平台２０上面の第二連接部２２に近い箇所に第二仮粘着部材２６を備えることにある。第一仮粘着部材２５はバネであり、第二仮粘着部材２６は一時的に粘着する材質の片面体であり、例えば、静電気を利用したシール、ＰＵ粘着等である。卓上型巻付用テープカッター台１００を使用する際は、まず、テープを第一仮粘着部材２５と巻付け平台２０の中間から引き出すと順に巻付け作業を行うことができる。また、次の巻付け作業前にテープを固定部材３３２に固定し、それと同時に第一仮粘着部材２５及び第二仮粘着部材２６に一時的に粘着することで、テープの逆粘着を防止し、使用における利便性を高めることができる。
【符号の説明】
【００２１】
１００  卓上型巻付用テープカッター台、
１０  テープ配置部、
１１  基本体、
１２  連接板、
ａ  角度、
１３  位置固定部材、
１３１  位置固定板、
１３２  ストッパー板、
１３３  延伸板、
１３４  弾性部材、
１４  側板、
１４１  位置限定溝、
１４２  回転軸、
１５  テープ台、
１５１  回転軸、
１５２  テープ、
１６  締着部材、
１７  第一滑り止め、
２０  巻付け平台、
２１  第一連接部、
２２  第二連接部、
２３  クッション、
２４  拡張テープ台、
２４１  固定板、
２５  第一仮粘着部材、
２６  第二仮粘着部材、
２７  螺着板、
３０  カッター部、
３１  底板、
３２  第一縦板、
３３  第二縦板、
３３１  カッター部材、
３３２  固定部材、
３３３  制御板、
３３４  螺着固定部材、
３４  空間、
３５  第二滑り止め、
２００  対象物。
【図１】
0003209496.tif 000003
【図２】
0003209496.tif 000004
【図３】
0003209496.tif 000005
【図４ａ】
0003209496.tif 000006
【図４ｂ】
0003209496.tif 000007
【図５】
0003209496.tif 000008
【図６】
0003209496.tif 000009
【図７】
0003209496.tif 000010
【図８】
0003209496.tif 000011
【図９】
0003209496.tif 000012
【図１０】
0003209496.tif 000013
【図１１】
0003209496.tif 000014
【図１２】
0003209496.tif 000015
【手続補正書】
【提出日】平成29年1月20日(2017.1.20)
【手続補正１】
【補正対象書類名】実用新案登録請求の範囲
【補正対象項目名】請求項２
【補正方法】変更
【補正の内容】
【請求項２】
前記連接板は前記基本体方向に傾斜しており、前記連接板と前記基本体間には一定角度が設けられ、前記一定角度は９０度未満とし、前記基本体は第二側に位置固定部材を備え、前記位置固定部材は位置固定板を有し、前記基本体は前記連接板と前記位置固定部材との間に間隔をあけた二つの側板を備え、前記位置固定部材と前記側板との間にテープ台が取り付けられ、前記テープ台に回転軸が枢着され、前記回転軸にテープが取り付けられ、前記位置固定部材及び側板のそれぞれが締着部材を備えることを特徴とする請求項１記載の卓上型巻付用テープカッター台。
【手続補正２】
【補正対象書類名】実用新案登録請求の範囲
【補正対象項目名】請求項３
【補正方法】変更
【補正の内容】
【請求項３】
前記基本体は間隔のあいた二つの側板を備え、前記側板はそれぞれに位置限定溝を備え、前記位置限定溝にテープを取り付けるための回転軸が枢着されることを特徴とする請求項１記載の卓上型巻付用テープカッター台。